(57)【特許請求の範囲】
【請求項１】
少なくとも１つの基地局にアップリンク送信を通して通信することができる無線通信ネットワークで使用される移動局であって、
複数の送信アンテナと、
前記複数の送信アンテナに結合され、少なくとも１つのコードワードをＮＬ個の階層にマッピングするように構成される制御部と、
を有し、
前記少なくとも１つのコードワードの中の１つは、複数のコードブロックを有するように生成され、
前記制御部は、送信ブロックを入力として前記複数のコードブロックを生成することにより、生成された前記複数のコードブロックの数がｋ×ＮＬと同一であるように構成され、
前記ｋは、整数値であり、
前記生成された複数のコードブロックの数は
【数１】
0005323208.tif 000085
及び
【数２】
0005323208.tif 000086
で定義され、
Ｂは、前記送信ブロック及び送信ブロック巡回冗長検査（ＣＲＣ）に対するビット数であり、
Ｚは、最大コードブロックサイズであり、
Ｌは、前記複数のコードブロックの各々に添付されるコードブロックＣＲＣシーケンスの長さであることを特徴とする移動局。
【請求項２】
前記制御部は、前記少なくとも１つのコードワードの中の１つを前記ＮＬ個の階層にマッピングすることにより、前記ＮＬ個の階層の各々は、ｋ個のコードブロックを有するように構成されることを特徴とする請求項１に記載の移動局。
【請求項３】
前記制御部は、階層優先マッピング方法を用いて前記少なくとも１つのコードワードの中の１つを前記ＮＬ個の階層にマッピングすることにより、連続したｋ個のコードブロックの第１のグループが第１の階層にマッピングされ、連続したｋ個のコードブロックの第２のグループが第２の階層にマッピングされるように構成されることを特徴とする請求項２に記載の移動局。
【請求項４】
前記制御部は、次に定義される数式
【数３】
0005323208.tif 000087
に従って階層優先マッピング方法を用いて前記少なくとも１つのコードワードの中の１つを前記ＮＬ個の階層にマッピングするように構成され、
ここで、ｈは、前記ＮＬ個の階層の階層であり、
iは、前記階層のシンボル番号であり、
ｘ（ｈ）（ｉ）は、前記ｈ番目の階層のｉ番目のシンボルであり、
ｄ（０）（ｋ）は、前記少なくとも１つのコードワードの中の１つのｋ番目のシンボルであり、
ｋは、ダミー変数であり、
【数４】
0005323208.tif 000088
は、階層のシンボルの総数であることを特徴とする請求項３に記載の移動局。
【請求項５】
前記制御部は、
上位階層のデルタ変調及びコーディング方式フィールドを含む半静的シグナリングと、
変調及びコーディング方式フィールドを含むスケジューリング割当てと、
を受信するようにさらに構成され、
前記制御部は、
前記変調及びコーディング方式フィールドに基づく第１のコードワードと、
前記変調及びコーディング方式フィールドと前記デルタ変調及びコーディング方式フィールド間の差に基づく第２のコードワードと、
を生成するように構成されることを特徴とする請求項１に記載の移動局。
【請求項６】
無線通信ネットワークで使用されるコードワード−階層マッピングのための方法であって、
複数の情報ビットを含む送信ブロックを受信するステップと、
ＮＬ個の階層にマッピングされる少なくとも１つのコードワードを生成するステップと、
前記少なくとも１つのコードワードを前記ＮＬ個の階層にマッピングするステップと、
を具備し、
前記少なくとも１つのコードワードは、複数のコードブロックを有するように生成され、
前記少なくとも１つのコードワードを生成するステップは、生成された前記複数のコードブロックの数がｋ×ＮＬと同一となるように、前記送信ブロックを入力として前記複数のコードブロックを生成するステップを具備し、
ｋは、整数値であり、
前記生成された前記複数のコードブロックの数は、
【数５】
0005323208.tif 000089
及び
【数６】
0005323208.tif 000090
で定義され、
Ｂは、前記送信ブロック及び送信ブロック巡回冗長検査（ＣＲＣ）に対するビット数であり、
Ｚは、最大コードブロックサイズであり、
Ｌは、前記複数のコードブロックの各々に添付されるコードブロックＣＲＣシーケンスの長さであることを特徴とするコードワード−階層マッピング方法。
【請求項７】
前記マッピングするステップは、前記少なくとも１つのコードワードの中の１つを前記ＮＬ個の階層にマッピングすることにより、前記ＮＬ個の階層の各々は、ｋ個のコードブロックを有するように構成されることを特徴とする請求項６に記載のコードワード−階層マッピング方法。
【請求項８】
前記マッピングするステップは、階層優先マッピング方法を用いて前記少なくとも１つのコードワードの中の１つを前記ＮＬ個の階層にマッピングすることにより、連続したｋ個のコードブロックの第１のグループが第１の階層にマッピングされ、連続したｋ個のコードブロックの第２のグループが第２の階層にマッピングされるようにするステップを有することを特徴とする請求項７に記載のコードワード−階層マッピング方法。
【請求項９】
前記少なくとも１つのコードワードの中の１つを前記ＮＬ個の階層にマッピングするステップは、次に定義される数式
【数７】
0005323208.tif 000091
に従って階層優先マッピング方法を使用するステップを有し、
ここで、ｈは、前記ＮＬ個の階層の階層であり、
iは、前記階層のシンボル番号であり、
ｘ（ｈ）（ｉ）は、前記ｈ番目の階層のｉ番目のシンボルであり、
ｄ（０）（ｋ）は、前記少なくとも１つのコードワードの中の１つのｋ番目のシンボルであり、
ｋは、ダミー変数であり、
【数８】
0005323208.tif 000092
は、階層のシンボルの総数であることを特徴とする請求項８に記載のコードワード−階層マッピング方法。
【請求項１０】
上位階層のデルタ変調及びコーディング方式フィールドを含む半静的シグナリングを受信するステップと、
変調及びコーディング方式フィールドを含むスケジューリング割当てを受信するステップと、
前記変調及びコーディング方式フィールドに基づく第１のコードワード及び前記変調及びコーディング方式フィールドと前記デルタ変調及びコーディング方式フィールド間の差に基づく第２のコードワードを生成するステップと、
をさらに有することを特徴とする請求項６に記載のコードワード−階層マッピング方法。
【請求項１１】
無線通信ネットワークにおける少なくとも１つの基地局にアップリンク送信を通して通信することができる移動局で使用される送信装置であって、
複数の送信アンテナに結合された送受信器と、
前記送受信器に結合され、少なくとも１つのコードワードをＮＬ個の階層にマッピングするように構成される制御部と、を有し、
前記少なくとも１つのコードワードの中の１つは、複数のコードブロックを有するように生成され、
前記制御部は、送信ブロックを入力として前記複数のコードブロックを生成することにより、生成された前記複数のコードブロックの数がｋ×ＮＬと同一であるように構成され、
前記生成された前記複数のコードブロックの数は、
【数９】
0005323208.tif 000093
及び
【数１０】
0005323208.tif 000094
で定義され、
Ｂは、前記送信ブロック及び送信ブロック巡回冗長検査（ＣＲＣ）に対するビット数であり、
Ｚは、最大コードブロックサイズであり、
Ｌは、前記複数のコードブロックの各々に添付されるコードブロックＣＲＣシーケンスの長さであることを特徴とする送信装置。
【請求項１２】
ｋは、整数値であることを特徴とする請求項１１に記載の送信装置。
【請求項１３】
前記制御部は、前記少なくとも１つのコードワードの中の１つを前記ＮＬ個の階層にマッピングすることにより、前記ＮＬ個の階層の各々が、ｋ個のコードブロックを有するように構成されることを特徴とする請求項１１に記載の送信装置。
【請求項１４】
前記制御部は、階層優先マッピング方法を用いて前記少なくとも１つのコードワードの中の１つを前記ＮＬ個の階層にマッピングすることにより、連続したｋ個のコードブロックの第１のグループが第１の階層にマッピングされ、連続したｋ個のコードブロックの第２のグループが第２の階層にマッピングされるように構成されることを特徴とする請求項１３に記載の送信装置。
【請求項１５】
前記制御部は、次に定義される数式
【数１１】
0005323208.tif 000095
に従って階層優先マッピング方法を用いて前記少なくとも１つのコードワードの中の１つを前記ＮＬ個の階層にマッピングするように構成され、
ここで、ｈは、前記ＮＬ個の階層の階層であり、
ｉは、前記階層のシンボル番号であり、
ｘ（ｈ）（ｉ）は、前記ｈ番目の階層のｉ番目のシンボルであり、
ｄ（０）（ｋ）は、前記少なくとも１つのコードワードの中の１つのｋ番目のシンボルであり、
ｋは、ダミー変数であり、
【数１２】
0005323208.tif 000096
は、階層のシンボルの総数であることを特徴とする請求項１４に記載の送信装置。
【請求項１６】
前記制御部は、
上位階層のデルタ変調及びコーディング方式フィールドを含む半静的シグナリングと、
変調及びコーディング方式フィールドを含むスケジューリング割当てと、
を受信するようにさらに構成され、
前記制御部は、
前記変調及びコーディング方式フィールドに基づく第１のコードワードと、
前記変調及びコーディング方式フィールドと前記デルタ変調及びコーディング方式フィールド間の差に基づく第２のコードワードと、
を生成するように構成されることを特徴とする請求項１１に記載の送信装置。
【請求項１７】
前記制御部は、前記少なくとも１つのコードワードの中の１つを前記ＮＬ個の階層にマッピングすることにより、前記複数のコードブロックの各々が前記ＮＬ個の階層の各々にマッピングされ、前記ＮＬ個の階層の各々が前記複数のコードブロックの各々のほぼ同一の数の変調されたシンボルを有するように構成されることを特徴とする請求項１１に記載の送信装置。
【発明の詳細な説明】
【技術分野】
【０００１】
本発明は、無線通信ネットワークに関し、特に、無線通信ネットワークにおけるデータ及び制御信号の送信に関する。
【背景技術】
【０００２】
現代の通信は、さらに高いデータ率及び性能を要求している。多重要素アンテナ（multiple-element antenna：ＭＥＡ）システムとも知られている多入力多出力（Multiple input multiple output：以下、“ＭＩＭＯ”と称する。）アンテナシステムは、送信器及び受信器の両方とも、又は他の場合には、送受信器で空間又はアンテナダイバーシティを用いて割り当てられた無線周波数（ＲＦ）チャネル帯域幅に対してさらに高い周波数効率を達成する。
【０００３】
ＭＩＭＯシステムにおいて、複数のデータストリームの各々は、相互に異なる物理的アンテナ又は有効アンテナによりプリコーディングされ、送信される前にマッピングされ変調される。結合されたデータストリームは、受信器の多重アンテナで受信される。受信器において、各データストリームは、結合信号から分離され抽出される。このような過程は、一般的に、最小平均２乗誤差（minimum mean squared error：ＭＭＳＥ）又はＭＭＳＥ直列干渉除去（successive interference cancellation：ＳＩＣ）アルゴリズムを用いて実行される。
【発明の概要】
【発明が解決しようとする課題】
【０００４】
本発明の目的は、無線ネットワークにおける少なくとも１つの基地局へのアップリンク送信を通して通信することができる移動局を提供することにある。
【０００５】
本発明の他の目的は、無線ネットワークにおけるコードワード−階層マッピングのための方法を提供することにある。
【０００６】
本発明のまた他の目的は、無線ネットワークにおける少なくとも１つの基地局へのアップリンク送信を通して通信することができる移動局で使用される送信装置を提供することにある。
【課題を解決するための手段】
【０００７】
上記のような目的を達成するために、本発明の一態様によれば、上記移動局は、複数の送信アンテナと、上記複数の送信アンテナに結合された制御部とを含む。上記制御部は、少なくとも１つのコードワードをＮＬ個の階層にマッピングするように構成される。上記コードワードは、複数のコードブロックを含む。上記制御部は、送信ブロックから上記複数のコードブロックを生成することにより、生成された上記複数のコードブロックの数がｋ×ＮＬと同一であるように構成され、ｋは、整数値である。
【０００８】
本発明の他の態様によれば、上記方法は、複数の情報ビットを含む送信ブロックを受信する。ＮＬ個の階層にマッピングされる少なくとも１つのコードワードが生成される。上記少なくとも１つのコードワードは、複数のコードブロックを含む。少なくとも１つのコードワードを生成するステップは、上記複数のコードブロックを生成することにより、生成された上記複数のコードブロックの数がｋ×ＮＬと同一であるようにするステップを含み、ｋは、整数値である。また、上記方法は、上記少なくとも１つのコードワードを上記ＮＬ個の階層にマッピングするステップを含む。
【０００９】
本発明のさらに他の態様によれば、上記送信装置は、複数の送信アンテナに結合された送受信器と上記送受信器に結合された制御部とを含む。上記制御部は、少なくとも１つのコードワードをＮＬ個の階層にマッピングするように構成される。上記コードワードは、複数のコードブロックを含む。上記制御部は、送信ブロックから上記複数のコードブロックを生成することにより、生成された上記複数のコードブロックの数がｋ×ＮＬと同一であるように構成される。
【発明の効果】
【００１０】
本発明は、無線ネットワークにおける少なくとも１つの基地局へのアップリンク送信を通して通信することができる移動局を使用することができる。
【図面の簡単な説明】
【００１１】
【図１】本開示の一実施形態に従ってデータストリームをデコーディングすることができる直交周波数分割多重接続（Orthogonal Frequency Division Multiple Access：ＯＦＤＭＡ）無線ネットワークを示す図である。
【図２】本開示の実施形態による例示的な無線移動局を示す図である。
【図３】本開示の実施形態によるＮ階層送信のためのＮｔ個の送信アンテナに対するアップリンク送信チェーンを示す図である。
【図４】例示的なコーディングチェーン及びコードワード−階層マッピングを示す図である。
【図５】（ａ）及び（ｂ）は、本開示の実施形態によるコードワード−階層マッピングを示す図である。
【図６】本開示の実施形態による新たなコードブック分割ブロックを示す図である。
【図７】（ａ）乃至（ｃ）は、本開示の実施形態によるコードワード−階層及びコードワード−リソース要素マッピングを示す図である。
【図８】（ａ）乃至（ｃ）は、本開示の実施形態によるコードワード−階層マッピングを示す図である。
【図９】（ａ）及び（ｂ）は、本開示の実施形態による同一の分配階層マッピング方法を示す図である。
【図１０】（ａ）及び（ｂ）は、本開示の実施形態によるシグナリングを示す図である。
【図１１】（ａ）及び（ｂ）は、本開示の実施形態によるシグナリングを示す図である。
【図１２】（ａ）及び（ｂ）は、本開示の実施形態によるシグナリングを示す図である。
【図１３】（ａ）乃至（ｅ）は、本開示の実施形態による空間多重化のための２段（two-stage）コードワード−階層マッピングを示す図である。
【図１４】本開示の実施形態による階層再マッピングを示す図である。
【図１５】本開示の実施形態による階層再マッピングを示す図である。
【図１６】本開示の実施形態による階層再マッピングを示す図である。
【図１７】本開示の実施形態による階層再マッピングを示す図である。
【図１８】本開示の実施形態による階層再マッピングを示す図である。
【図１９】本開示の実施形態による２−Ｔｘアラモチ（Alamouti）送信ダイバーシティ空間−時間ブロックコードのための送信器ブロックを示す図である。
【図２０】本開示の実施形態によるコードワード−階層マッピングブロックを示す図である。
【図２１】本開示の実施形態によるダウンサンプリングブロックを示す図である。
【発明を実施するための形態】
【００１２】
本開示及びその長所に対するより完全な理解のために、同一の参照符号は、同一の構成要素を示す添付された図面と関連してなされた下記の説明を参照する。
【００１３】
本発明を詳細に説明するのに先立って、本明細書の全般にわたって使用される特定の単語及び語句の定義を開示することが望ましい。“含む（include）”及び “備える（comprise）”という語句だけではなく、その派生語（derivatives thereof）は、限定ではなく、含みを意味する。“又は（or）”という用語は、“及び／又は（and/or）”の意味を包括する。“関連した（associated with）”及び“それと関連した（associated therewith）”という語句だけではなく、その派生語句は、“含む（include）”、“含まれる（be included within）”、“相互に連結する（interconnect with）”、“包含する（contain）”、“包含される（be contained within）”、“連結する（connect to or with）”、“結合する（couple to or with）”、“疎通する（be communicable with）”、“協力する（cooperate with）”、“挿入する（interleave）”、“並列する（juxtapose）”、“近接する（be proximate to）”、“接する（be bound to or with）”、“有する（have）”、及び“特性を有する（have a property of）”などを意味することができる。また、‘制御部’という用語は、少なくとも１つの動作を制御する装置、システム又はこれらの一部を意味することができ、このような装置は、ハードウェア、ファームウェア、ソフトウェア、又は、それらのうちの２つ以上の組合せで実現することができる。ある特定の制御部に関連した機能性は、ローカルでも遠隔でも、集中するか又は分散することができることに留意しなければならない。特定の単語及び語句に関するこのような定義は、本明細書の全般にわたって規定されるもので、当業者には、大部分の場合ではなくても、多くの場合において、このような定義がそのように定義された単語及び語句の先行使用にはもちろん、将来の使用にも適用されるものであることが自明である。
【００１４】
下記で論議される図１乃至図２１及び本特許文書の開示の原理を説明するために使用される様々な実施形態はただ例示のためのものであり、本開示の範囲を限定するものと解釈されてはいけない。当業者は、本開示の原理が、適切に準備された無線通信システムにおいて実現可能であることを理解しうる。
【００１５】
下記の説明と関連して、３ＧＰＰ  ＬＴＥ（Long Term Evolution）用語である“ノードＢ”は、下記で使用される“移動局”に対する他の用語である。また、ＬＴＥ用語である“ユーザデバイス”又は“ＵＥ”は、下記で使用される“加入者局”（又はＳＳ）の他の用語である。
【００１６】
図１は、本開示の一実施形態に従ってデータストリームをデコーディングすることができる例示的な無線ネットワーク１００を示す。図示した実施形態において、無線ネットワーク１００は、基地局（ＢＳ）１０１、基地局（ＢＳ）１０２、及び基地局（ＢＳ）１０３を含む。ＢＳ１０１は、基地局１０２及び基地局１０３と通信する。また、基地局１０１は、インターネット、独占（proprietary）インターネットプロトコル（ＩＰ）ネットワーク又は他のデータネットワークのようなＩＰネットワーク１３０と通信する。
【００１７】
ＢＳ１０２は、ＢＳ１０２のサービス領域１２０内の第１の複数の加入者局にＢＳ１０１を通してインターネット１３０に対する無線広帯域アクセスを提供する。第１の複数の加入者局は、加入者局（ＳＳ）１１１、加入者局（ＳＳ）１１２、加入者局（ＳＳ）１１３、加入者局（ＳＳ）１１４、加入者局（ＳＳ）１１５、及び加入者局（ＳＳ）１１６を含む。加入者局（ＳＳ）は、移動電話、移動ＰＤＡ、及び移動局（ＭＳ）と同一であるが、これに限定されない無線通信装置であり得る。一実施形態において、ＳＳ１１１は、小企業（ＳＢ）に位置し得、ＳＳ１１２は、企業（Ｅ）に位置し得、ＳＳ１１３は、ＷｉＦｉホットスポット（ＨＳ）に位置し得、ＳＳ１１４は、第１の住宅（Ｒ）に位置し得、ＳＳ１１５は、第２の住宅（Ｒ）に位置し得、ＳＳ１１６は、移動装置（Ｍ）であり得る。
【００１８】
ＢＳ１０３は、ＢＳ１０３のサービス領域１２５内の第２の複数の加入者局にＢＳ１０１を通してネットワーク１３０への無線広帯域アクセスを提供する。第２の複数の加入者局は、加入者局（ＳＳ）１１５及び加入者局（ＳＳ）１１６を含む。他の実施形態において、ＢＳ１０２及びＢＳ１０３は、ＢＳ１０１を通して、間接的であるよりは、光ファイバー、ＤＳＬ、ケーブル、又はＴ１／Ｅ１ラインのような有線広帯域接続を通してインターネット又は他の制御部に直接接続されることができる。
【００１９】
他の実施形態において、ＢＳ１０１は、さらに少ないか又はさらに多い基地局と通信することができる。また、６個の加入者局だけが図１に図示されているが、無線ネットワーク１００は、６個以上の加入者局にも無線広帯域アクセスを提供することができるものと理解される。ＳＳ１１５及びＳＳ１１６は、サービス領域１２０及びサービス領域１２５の双方の境界にあることを留意する。当業者に知られているように、ＳＳ１１５及びＳＳ１１６の各々は、ＢＳ１０２及びＢＳ１０３のすべてと通信し、ハンドオフモードで動作しているといわれることができる。
【００２０】
一実施形態において、ＢＳ１０１乃至１０３は、相互に通信することができ、ＩＥＥＥ−８０２．１６ｅ標準のようなＩＥＥＥ−８０２．１６無線都市圏通信網標準を用いてＳＳ１１１乃至１１６と通信し得る。しかしながら、他の実施形態においては、他の無線プロトコル、例えば、ＨＩＰＥＲＭＡＮ無線都市圏通信網標準が使用されてもよい。ＢＳ１０１は、無線バックホール（backhaul）のために使用される技術に基づいて見通し、すなわち直接経路（line-of-sight：ＬＯＳ）又は見通し外、すなわち非直接経路（non-line-of-sight：ＮＬＯＳ）を通してＢＳ１０２及びＢＳ１０３と通信し得る。ＢＳ１０２及びＢＳ１０３の各々は、直交周波数分割多重化（ＯＦＤＭ）及び／又は直交周波数分割多重接続（ＯＦＤＭＡ）技術を用いてＳＳ１１１乃至ＳＳ１１６と非直接経路を通して通信し得る。
【００２１】
ＢＳ１０２は、企業と関連したＳＳ１１２にＴ１レベルサービスを提供し得、小企業と関連したＳＳ１１１に部分的（fractional）Ｔ１レベルサービスを提供し得る。ＢＳ１０２は、空港、カフェ、ホテル、又は大学キャンパスに位置したＷｉＦｉホットスポットと関連したＳＳ１１３に無線バックホールを提供し得る。ＢＳ１０２は、ＳＳ１１４、１１５、及び１１６にデジタル加入者ライン（ＤＳＬ）レベルサービスを提供し得る。
【００２２】
ＳＳ１１１乃至ＳＳ１１６は、音声、データ、映像、映像通話、及び／又は他の広帯域サービスにアクセスするためにネットワーク１３０への広帯域アクセスを使用し得る。一実施形態において、１つ又は複数のＳＳ１１１乃至ＳＳ１１６は、ＷｉＦｉＷＬＡＮのアクセスポイント（ＡＰ）と関連し得る。ＳＳ１１６は、無線使用可能なラップトップコンピュータ、ＰＤＡ、ノートブック、携帯装置、又は他の無線使用可能な装置を含む様々な移動装置の中の１つであり得る。ＳＳ１１４及びＳＳ１１５は、例えば、無線使用可能な個人用コンピュータ、ラップトップコンピュータ、ゲートウェイ、又は他の装置であり得る。
【００２３】
点線は、例示及び説明のためにほぼ円形で図示するサービス領域１２０、１２５の概略的な内容を示す。基地局と関連したサービス領域、例えば、サービス領域１２０、１２５は、基地局の構成及び自然的及び人工的障害物と関連した無線環境での変化に基づいて不規則的な形態を含む他の形態を有し得ることを明確に理解しなければならない。
【００２４】
また、基地局と関連したサービス領域は、時間に従って一定でなく、基地局及び／又は加入者局の変化する送信電力レベル、気候状態、及び他の要因に基づいて動的（拡張、収縮又は形態変化）であり得る。一実施形態において、基地局のサービス領域、例えば、ＢＳ１０２及びＢＳ１０３のサービス領域１２０及び１２５の半径は、基地局から２キロメートル以下で約５０キロメートルまでの範囲内で拡張され得る。
【００２５】
当技術分野で周知のように、ＢＳ１０１、１０２、又は１０３のような基地局は、サービス領域内の複数のセクタをサポートするために方向性アンテナを使用し得る。図１において、ＢＳ１０２及び１０３の各々は、ほぼサービス領域１２０及び１２５の中央にあると図示される。他の実施形態において、方向性アンテナを用いて、基地局がサービス領域の境界の近傍、例えば、円錐形（cone-shaped）又はなし形（pear-shaped）のサービス領域のポイントに位置することができるようにする。
【００２６】
ＢＳ１０１からネットワーク１３０への接続は、電話局（central office）又は他の運営会社相互接続位置に位置したサーバへの広帯域接続（例えば、光ファイバーライン）を含み得る。このサーバは、インターネットプロトコルベースの通信のためのインターネットゲートウェイに、そして音声基盤通信のための公衆交換電話網ゲートウェイに通信を提供し得る。ＶｏＩＰ（voice-over-IP）形態の音声ベースの基盤通信の場合に、トラフィックが公衆交換電話網（ＰＳＴＮ）ゲートウェイの代りにインターネットゲートウェイに直接伝達され得る。サーバ、インターネットゲートウェイ、及びＰＳＴＮゲートウェイは、図１に図示していない。他の実施形態において、ネットワーク１３０への接続は、相互に異なるネットワークノード及び装置により提供され得る。
【００２７】
本開示の一実施形態に従って、１つ又は複数のＢＳ１０１乃至ＢＳ１０３及び／又は１つ又は複数のＳＳ１１１乃至ＳＳ１１６は、最小平均二乗誤差直列干渉除去（ＭＭＳＥ−ＳＩＣ）アルゴリズムを用いて複数の送信アンテナから結合されたデータストリームとして受信された複数のデータストリームをデコーディングするように動作可能な受信器を含む。以下、さらに詳細に説明するように、受信器は、データストリームの強度関連特性に基づいて計算された各データストリームに対するデコーディング予測関数（metric）に基づいてデータストリームに対するデコーディング順序を決定する。したがって、一般的に、受信器は、最も強い強度のデータストリームをまずデコーディングし、次に強いデータストリームをデコーディングすることができる。その結果、受信器のデコーディング性能は、最適の順序を知るために可能なすべてのデコーディング順序を検索する受信器だけ複雑でなくても、任意の順序又は所定の順序によりストリームをデコーディングする受信器に比べて向上することができる。
【００２８】
図２は、本開示の実施形態による例示的な無線加入者局をさらに詳細に示す。図２に示す無線加入者局１１６の一実施形態は、ただ例示のためのものであり、本開示の範囲から逸脱することなく他の実施形態が使用されてもよい。
【００２９】
無線ＳＳ１１６は、アンテナ２０５、ＲＦ送受信器２１０、送信（ＴＸ）処理回路２１５、マイクロフォン２２０、及び受信（ＲＸ）処理回路２２５を含む。また、ＳＳ１１６は、スピーカ２３０、メインプロセッサ２４０、入力／出力（Ｉ／Ｏ）インターフェース（ＩＦ）２４５、キーパッド２５０、表示部２５５、及びメモリ２６０を含む。メモリ２６０は、基本オペレーティングシステム（ＯＳ）プログラム２６１と、一部の実施形態では、階層マッピング過程ブロック２６２とをさらに含む。
【００３０】
ＲＦ送受信器２１０は、無線ネットワーク１００の基地局により送信される着信ＲＦ信号をアンテナ２０５から受信する。アンテナ２０５は、Ｎｔ個のアンテナ２０５（例えば、ＳＳ１１６は、Ｎｔ個のアンテナ２０５を含む）を含む。ＲＦ送受信器２１０は、着信ＲＦ信号をダウンコンバートすることにより中間周波数（ＩＦ）又はベースバンド信号を発生する。ＩＦ又はベースバンド信号は、ベースバンド又はＩＦ信号のフィルタリング、デコーディング、及び／又はデジタル化を行うことにより処理されたベースバンド信号を発生するＲＸ処理回路２２５に送信される。ＲＸ処理回路２２５は、この処理されたベースバンド信号を追加の処理（例えば、ウェブブラウジング）のためにスピーカ２３０（すなわち、音声データ）又はメインプロセッサ２４０に送信する。
【００３１】
ＴＸ処理回路２１５は、アナログ又はデジタル音声データをマイクロフォン２２０から受信するか、又は他の発信ベースバンドデータ（例えば、ウェブデータ、電子メール、双方向ビデオゲームデータ）をマイクロフォン２２０から受信する。ＴＸ処理回路２１５は、発信ベースバンドデータのエンコーディング、多重化、及び／又はデジタル化を行うことにより、処理されたベースバンド又はＩＦ信号を発生する。ＲＦ送受信器２１０は、発信処理ベースバンド又はＩＦ信号をＴＸ処理回路２１５から受信する。ＲＦ送受信器２１０は、ベースバンド又はＩＦ信号をＲＦ信号にアップコンバートし、このＲＦ信号は、アンテナ２０５を通して送信される。
【００３２】
本開示の一部の実施形態において、メインプロセッサ２４０は、マイクロプロセッサ又はマイクロコントローラである。メモリ２６０は、メインプロセッサ２４０に結合される。本開示の一部の実施形態によれば、メモリ２６０の一部は、ランダムアクセスメモリ（ＲＡＭ）を有し、メモリ２６０の他の部分は、読取り専用メモリ（ＲＯＭ）として動作するフラッシュメモリを有する。
【００３３】
メインプロセッサ２４０は、コードブロック分割及び／又は階層マッピングを含む、ここで開示された１つ又は複数の機能のような、無線ＳＳ１１６の全般的な動作を制御するためにメモリ２６０に記憶されている基本的なＯＳプログラム２６１を実行する。一部の実施形態において、メインプロセッサ２４０は、コードブロック分割、階層マッピング、又はこの両方ともを含むここで開示された機能を実行するように、階層マッピングブロック２６２に記憶されている命令（instructions）を実行する。このような動作において、メインプロセッサ２４０は、よく知られている原理に従って、ＲＦ送受信器２１０、ＲＸ処理回路２２５、及びＴＸ処理回路２１５により順方向チャネル信号の受信及び逆方向チャネル信号の送信を制御する。
【００３４】
メインプロセッサ２４０は、メモリ２６０の他のプロセス及びプログラムを実行することができる。メインプロセッサ２４０は、実行プロセスにより要求されるように、データをメモリ３６０の内部に又は外部に移動させることができる。また、メインプロセッサ２４０は、Ｉ／Ｏインターフェース２４５に結合される。Ｉ／Ｏインターフェース２４５は、ラップトップコンピュータ及び携帯用コンピュータのような他の装置に接続されることができる機能をＳＳ１１６に提供する。Ｉ／Ｏインターフェース２４５は、このような付属品とメインプロセッサ２４０間の通信路である。
【００３５】
また、メインプロセッサ２４０は、キーパッド２５０及び表示部２５５に結合される。ＳＳ１１６のオペレーターは、キーパッド２５０を用いてデータをＳＳ１１６に入力する。表示部２５５は、ウェブサイトからテキスト及び／又は少なくとも限定されたグラフィックを作ることができる液晶表示部であり得る。他の実施形態は、他のタイプの表示部を使用してもよい。
【００３６】
図３は、本開示の実施形態によるＮ階層送信のためのＮｔ個の送信アンテナに対するアップリンク送信チェーンを示す。図３に示すアップリンク送信チェーン３００の実施形態は、ただ例示のためのものである。本開示の範囲を外れず他の実施形態が使用されてもよい。
【００３７】
アップリンク送信チェーン３００は、ＳＳ１１６がＮｔ個の送信アンテナを含む際に、一般的なＮ階層送信を提供するように動作することができる。アップリンク送信チェーン３００は、データ／制御多重化、インターリービング階層マッピングブロック３０５（以下、階層マッピング３０５と呼ばれる）を含む。階層マッピング３０５は、ＤＦＴプリコーディング３１０の前に実行されることにより、データ及び制御情報が適切に多重化されインターリービングされる。送信プリコーディングは、ＤＦＴプリコーダ３１０ａ−３１０ｎ及びＩＦＦＴ３１５ａ−３１５ｂ間で実行されることにより、サブキャリアごとにＤＦＴプリコーダ３１０ａ−３１０ｎの出力でのＮ次元信号を、ＩＦＦＴ３１５ａ−３１５ｂのグループへの入力としてのＮｔ次元信号に変換する。ＩＦＦＴの入力でのサブキャリアマッピングは、サブキャリアの非連続セグメントを含むことができる。
【００３８】
図４は、例示的なコーディングチェーン及びコードワード−階層マッピングを示す。図４に示すコーディングチェーン及びコードワード−階層マッピング４００は、ここに内容が参照として併合された３ＧＰＰ  ＴＳ  ３６．２１２  ｖ  ８．５．０，“Ｅ−Ｕｔｒａ，Ｍｕｌｔｉｐｌｅｘｉｎｇ ａｎｄ  Ｃｈａｎｎｅｌ  ｃｏｄｉｎｇ”（２００８年１２月）に記述された部分的な（partial）送信器構造に対応する。
【００３９】
送信チャネル４００は、送信ブロック（Transport Block：以下、“ＴＢ”と称する。）巡回冗長検査（Cyclic Redundancy Check：以下、“ＣＲＣ”と称する。）添付ブロック４０５を含む。ＴＢ  ＣＲＣ添付ブロック４０５は、ＴＢ４０７に対する情報ビットを受信する。ＴＢ  ＣＲＣブロック４０５は、ＣＲＣを通してアップリンク共有チャネル（Uplink-Shared Channel：ＵＬ−ＳＣＨ）送信ブロックに対してエラー検出を実行する。全体のＴＢは、ＣＲＣパリティビットを計算するのに使用されることができる。したがって、ＴＢ  ＣＲＣ４０９は、複数の情報ビットを含むＴＢ４０７に付加される。したがって、ビット数が最大コードブロックサイズより大きい場合に、コードブロック（ＣＢ）分割（segmentation）ブロック４１０は、ＴＢ４０７及びＴＢ  ＣＲＣ４０９を含む入力ビットシーケンスを複数のＣＢ４１２ａ−４１２ｎに分割する。ＣＢ分割ブロック４１０からのコードブロック４１２の総数は、数式（１）により決定される。
【００４０】
【数１】
0005323208.tif 000002
【００４１】
数式（１）において、Ｃは、コードブロックの数であり、Ｂは、入力シーケンスビットの数であり、Ｚは、最大コードブロックサイズであり、Ｌは、追加のＣＲＣシーケンスに対するビットの数である。ＣＢ  ＣＲＣ添付ブロック４１５は、Ｌ＝２４ビットのような追加ＣＲＣシーケンスを各ＣＢ情報ビット４１２に添付することによりコードブロック４１７を生成することができる。
【００４２】
また、送信チャネル４００は、データ及び制御情報のコーディングのためにチャネルコーディングブロック及びレートマッチングブロック４２０を含む。コードブロック分割及びコードブロックＣＲＣ添付４１５からのコードブロック４１７は、チャネルコーディングブロック及びレートマッチングブロック４２０に伝達される。各コードブロック４１７ａ−４１７ｎは、それぞれターボコーディングされレートマッチングされることにより、コードワード４２５を生成することができる。チャネルコーディングブロック及びレートマッチングブロック４２０から出力されたコードワード４２５は、コードワード−階層マッピングブロック４３０に伝達される。コードワード−階層マッピングブロック４３０は、コードワード４２５を複数の階層４３５にマッピングする。コードワード−階層マッピングは、ここに内容が参照として併合された３ＧＰＰ  ＴＳ ３６．２１１  ｖ  ８．５．０、“Ｅ−ＵＴＲＡ，Ｐｈｙｓｉｃａｌ  ｃｈａｎｎｅｌｓ  ａｎｄ  ｍｏｄｕｌａｔｉｏｎ”（２００８年１２月）にさらに開示されている。
【００４３】
図５の（ａ）及び（ｂ）は、本開示の実施形態によるコードワード−階層マッピングを示す。図５の（ａ）及び（ｂ）に示す実施形態は、ただ例示のためのである。本開示の範囲から逸脱せず他の実施形態が使用されてもよい。
【００４４】
送信チャネル４００でのコードワード−階層マッピングブロック４３０は、２個のマッピング構造の中の１つに従ってコードワードをマッピングするように構成された新たなコードワード−階層マッピングブロック５００に置き換えられることができる。図５（ａ）に示す例において、１つのコードワード５０５は、複数の階層５１０ａ−５１０ｎにマッピングされる。図５（ａ）に示す例において、複数のコードワード５０５の各々が各階層５１０にマッピングされることにより、第１のコードワード５０５ａは、第１の階層５１０ａにマッピングされ、ｎ番目のコードワード５０５ｎは、ｎ番目の階層５１０ｎにマッピングされる。複数のコードワード５０５は、１つのサブフレームを通して第１の端末から他の端末に、例えば、ＳＳ１１６からＢＳ１０２に送信されるか、又はＢＳ１０２からＳＳ１１６に送信されることができる。送信で使用可能な階層５１０の数に基づいて、各コードワード５０５ａ−５０５ｎは、図５（ａ）及び図５（ｂ）に示すマッピング構造の中のいずれか１つに従って１つ又は複数の階層に分割され分配されることができる。
【００４５】
図６は、本開示の実施形態による新たなコードワード分割ブロック６００を示す。図６に示す実施形態は、ただ例示のためのものである。本開示の範囲から逸脱することなく他の実施形態が使用されてもよい。
【００４６】
送信チャネル４００でのＣＢ分割ブロック４１０は、新たなＣＢ分割ブロック６００に置き換えられることができる。新たなＣＢ分割ブロック６００は、ＴＢ４０７及びＴＢ  ＣＲＣ４０９を含む入力ビットシーケンスを受信する。新たなＣＢ分割ブロック６００は、コードワード（ＣＷ）がマッピングされる階層の数の倍数に対応する数（すなわち、量（quantity）又はＣＢ６０５）のＣＢ６０５を発生する。例えば、発生したＣＢの数（例えば、量）は、常にコードワード（又は上位階層のＴＢ）にマッピングされる階層の数（ＮＬ）の整数（Ｋ）倍であり、発生したＣＢの数は、Ｋ・ＮＬに基づく。新たなＣＢ分割ブロック６００からのＣＢ６０５の総数は、下記の数式（２）及び数式（３）により決定されることができる。
【００４７】
【数２】
0005323208.tif 000003
【００４８】
【数３】
0005323208.tif 000004
【００４９】
数式（２）及び数式（３）において、Ｃは、コードブロックの数（例えば、量）であり、ＮＬは、コードブロックがマッピングされる階層の数（例えば、量）であり、Ｚは、最大コードブロックサイズであり、Ｂは、入力シーケンスビットの数であり、Ｌは、追加ＣＲＣシーケンスに対するビットの数である。
【００５０】
また、図７（ａ）乃至７（ｃ）に関連して、下記で論議されるＣＷ−階層マッピングなどを用いて階層にマッピングされる際に、ＣＢ６０５（すなわち、Ｋ・ＮＬ個のＣＢ６０５）は、ＮＬ個の階層にマッピングされることにより、各階層は、“Ｋ”個のＣＢ６０５を含む。例えば、図７（ａ）に示すように、Ｋ＝２であり、ＮＬ＝２である場合に、１つのＣＷ７０５でのＣＢ６０５の数は、４個（すなわち、Ｋ・ＮＬ＝４）である。また、図７（ｂ）に示すように、Ｋ＝１であり、ＮＬ＝４である場合に、１つのＣＷ７０５でのＣＢ６０５の数は、４個（すなわち、Ｋ・ＮＬ＝４）である。他の例において、図８（ｃ）に示すように、各ＣＷ８０５ａ−８０５ｂは、４個の階層８１０ａ−８１０ｄ、８１０ｅ−８１０ｈにマッピングされ、Ｋ＝１であり、ＮＬ＝４である場合に、各ＣＷ８０５ａ−８０５ｂでのＣＢ６０５の数は、４（すなわち、Ｋ・ＮＬ＝４）である。
【００５１】
図７（ａ）乃至図７（ｃ）は、本開示の実施形態によるコードワード−階層及びコードワード−リソース要素マッピングを示す。図７（ａ）乃至図７（ｃ）に示す実施形態は、ただ例示のためのものである。本開示の範囲から逸脱せず他の実施形態が使用されてもよい。
【００５２】
送信チャネル４００のコードワード−階層マッピングブロック４３０は、新たなＣＷ−階層マッピングブロック７００に置き換えられることができる。新たなＣＷ−階層マッピングブロック７００は、ＣＷのＣＢの数が図７（ａ）及び図７（ｂ）に示すように階層の数の整数倍であるか又は図７（ｃ）に示すように階層の数の整数倍でないかに基づいてコードワードをマッピングすることができる。
【００５３】
第１のマッピング方法において、新たなＣＷ−階層マッピングブロック７００は、階層優先方式（layer first manner）でＣＷを階層にマッピングすることにより、ＣＷの連続シンボルが１つの階層にまずマッピングされる。例えば、ＣＷ−階層マッピングブロック７００は、ＣＷ７０５の第１の
【００５４】
【数４】
0005323208.tif 000005
【００５５】
変調シンボルを第１の階層７１０ａにマッピングし、第２の
【００５６】
【数５】
0005323208.tif 000006
【００５７】
シンボルを第２の階層７１０ｂにマッピングする。
【００５８】
また、ＣＷの変調されたシンボルを
【００５９】
【数６】
0005323208.tif 000007
【００６０】
で示し、ここで、
【００６１】
【数７】
0005323208.tif 000008
【００６２】
である場合に、ＣＷ７０５の変調シンボル
【００６３】
【数８】
0005323208.tif 000009
【００６４】
は、連続したシンボルのＮＬグループに分割されることができ、ｉ番目のグループのシンボルは、ｉ番目の階層にマッピングされる。
【００６５】
【数９】
0005323208.tif 000010
【００６６】
をＮＬで割ることができない場合に、ヌル（null）シンボルが
【００６７】
【数１０】
0005323208.tif 000011
【００６８】
に追加されることにより、すべての階層７１０は、同一の数
【００６９】
【数１１】
0005323208.tif 000012
【００７０】
のシンボルを含むことができる。このマッピング方法は、数式（４）乃至数式（７）で定義されるように構成されることができ、ここで、
【００７１】
【数１２】
0005323208.tif 000013
【００７２】
である。
【００７３】
ＮＬ＝２の場合に、
【００７４】
【数１３】
0005323208.tif 000014
【００７５】
であり、ここで、
【００７６】
【数１４】
0005323208.tif 000015
【００７７】
である。ＮＬ＝３の場合に、
【００７８】
【数１５】
0005323208.tif 000016
【００７９】
であり、ここで、
【００８０】
【数１６】
0005323208.tif 000017
【００８１】
である。
【００８２】
【数１７】
0005323208.tif 000018
【００８３】
である場合に、２個のヌルシンボルは、
【００８４】
【数１８】
0005323208.tif 000019
【００８５】
に付加される。
【００８６】
【数１９】
0005323208.tif 000020
【００８７】
である場合に、１個のヌルシンボルは、
【００８８】
【数２０】
0005323208.tif 000021
【００８９】
に付加される。
【００９０】
ＮＬ＝４の場合に、
【００９１】
【数２１】
0005323208.tif 000022
【００９２】
であり、
【００９３】
【数２２】
0005323208.tif 000023
【００９４】
である。
【００９５】
【数２３】
0005323208.tif 000024
【００９６】
である場合に、２個のヌルシンボルは、
【００９７】
【数２４】
0005323208.tif 000025
【００９８】
に付加される。
【００９９】
一般的なＮＬの場合に、
【０１００】
【数２５】
0005323208.tif 000026
【０１０１】
（この数式の一部の形態は、‘ｈ’の代りに‘ｌ’を使用することに留意する。）であり、
【０１０２】
【数２６】
0005323208.tif 000027
【０１０３】
である。
【０１０４】
【数２７】
0005323208.tif 000028
【０１０５】
である場合に、適切な数のヌルシンボルが
【０１０６】
【数２８】
0005323208.tif 000029
【０１０７】
に付加されることにより、すべてのＮＬ個の階層は、
【０１０８】
【数２９】
0005323208.tif 000030
【０１０９】
個のシンボルを有する。
【０１１０】
図７（ａ）及び７（ｂ）の例に示すように、ＣＷ７０５のＣＢ７１５の数は、階層７１０の数の整数倍である。このような例において、ＣＢ７１５のすべてのシンボルは、１つの階層７１０だけでマッピングされる。また、各階層７１０ａ−７１０ｄは、同一の数のＣＢ７１５を含む。
【０１１１】
例えば、図７（ａ）に示すように、ＣＷ７０５は、２個の階層７１０ａ−７１０ｂにマッピングされる４個のＣＢ７１５ａ−７１５ｄを含む。新たなＣＷ−階層マッピングブロック７００は、第１のＣＢであるＣＢ０  ７１５ａ及び第２のＣＢであるＣＢ１  ７１５ｂを第１の階層である階層０  ７１０ａにマッピングする。また、新たなＣＷ−階層マッピングブロック７００は、第３のＣＢであるＣＢ２  ７１５ｃ及び第４のＣＢであるＣＢ３  ７１５ｄを第２の階層である階層１  ７１０ｂにマッピングする。
【０１１２】
図７（ｂ）の例において、ＣＷ７０５は、２個の階層７１０ａ−７１０ｂにマッピングされる４個のＣＢ７１５ａ−７１５ｄを含む。新たなＣＷ−階層マッピングブロック７００は、ＣＢ０  ７１５ａを階層０  ７１０ａにマッピングし、ＣＢ１  ７１５ｂを階層１  ７１０ｂにマッピングし、ＣＢ２  ７１５ｃを第３の階層である階層２  ７１０ｃにマッピングし、ＣＢ３  ７１５ｄを第４の階層である階層３  ７１０ｄにマッピングする。
【０１１３】
図７（ｃ）に示す例において、ＣＷ７０５のＣＢ７１５の数は、階層７１０の数の整数倍ではない。少なくとも１つのＣＢ７１５は、様々な部分に分割され、複数の階層７１０にマッピングされる。例えば、ＣＷ７０５は、５個のＣＢであるＣＢ０  ７１５ａ、ＣＢ１  ７１５ｂ、ＣＢ２  ７１５ｃ、ＣＢ３  ７１５ｄ、及びＣＢ４  ７１５ｅを含む。ＣＢ７１５ａ−７１５ｅは、２個の階層７１０ａ−７１０ｂにマッピングされる。したがって、ＣＢの数は、階層の数の整数倍ではない（すなわち、＃ＣＢｓ／ＮＬ≠整数）。新たなＣＷ−階層マッピングブロック７００は、ＣＢ０  ７１５ａ及びＣＢ１  ７１５ｂを階層１  ７１０ａにマッピングし、ＣＢ３  ７１５ｄ及びＣＢ４  ７１５ｅを階層２  ７１０ｂにマッピングする。また、ＣＷ−階層マッピングブロック７００は、ＣＢ２  ７１５ｃを２個の部分に分割する。ＣＢ２  ７１５ｃ−１の１番目の部分は、階層１  ７１０ａにマッピングされ、ＣＢ２  ７１５ｃ−２の２番目の部分は、階層２  ７１０ｂにマッピングされる。
【０１１４】
また、ＣＢ分割ブロック４１０は、ＣＷ−階層マッピングブロック７００も使用され、図７（ａ）乃至７（ｃ）に示すすべての例が起こり得る。しかしながら、ＴＢ４０７の情報ビットの数に基づいて、ＣＢのシンボルが１つの階層７１０にマッピングされることもありまたはマッピングされないこともある。
【０１１５】
あるいは、新たなＣＢ分割ブロック６００が使用され、ＣＷ−階層マッピングブロック７００が使用されない際に、図７（ａ）及び図７（ｂ）に示す例だけが起こり得る。これは、新たなＣＢ分割ブロック６００が、ＣＷ７０５が階層７１０の数の整数倍に対応する数のＣＢ７１５を有するように保証するためである。
【０１１６】
送信する複数のＣＷ７０５が存在する場合に、各ＣＷ７０５は、ＣＷ−階層マッピングブロック７００によりそれに対応する階層７１０にマッピングされることができる。例えば、図８（ａ）に示すように、２個のＣＷ８０５ａ及びＣＷ８０５ｂが３個の階層７１０ａ−７１０ｃを通して送信されることができる。第１のＣＷであるＣＷ０  ８０５ａは、第１の階層である階層０  ８１０ａにマッピングされる。図８（ｂ）に示す他の例において、２個のＣＷ８０５ａ−８０５ｂは、４個の階層である階層０  ８１０ａ、階層１  ８１０ｂ、階層２  ８１０ｃ、及び階層３  ８１０ｄを通して送信されることができる。第１のＣＷであるＣＷ０  ８０５ａは、第１の階層である階層０  ８１０ａ及び階層１  ８１０ｂにマッピングされ、他方、第２のＣＷであるＣＷ１  ８０５ｂは、階層２  ８１０ｃ及び階層３  ８１０ｄにマッピングされる。図８（ｃ）に示す他の例において、ＣＷ０  ８０５ａ及びＣＷ１  ８０５ｂは、８個の階層８１０を通して送信される。各ＣＷ８０５ａ−８０５ｂが４個の階層８１０ａ−８１０ｄ及び８１０ｅ−８１０ｈにマッピングされることにより、ＣＷ０  ８０５ａは、階層０  ８１０ａ、階層１  ８１０ｂ、階層２  ８１０ｃ、及び階層３  ８１０ｄにマッピングされ、ＣＷ１  ８０５ｂは、階層４  ８１０ｅ、階層５  ８１０ｆ、階層６  ８１０ｇ、及び階層７  ８１０ｈにマッピングされる。
【０１１７】
図９（ａ）及び図９（ｂ）は、本開示の実施形態による同一の分配階層マッピング方法を示す。図９（ａ）及び図９（ｂ）に示す実施形態は、ただ例示のためのものであり、本開示の範囲から逸脱することなく他の実施形態が使用されてもよい。
【０１１８】
一部の実施形態において、ＣＷ−階層マッピングブロック７００は、同一の分配階層マッピング方法（以下、“マッピング方法Ｂ”と称する。）を実行することができる。ＣＷ−階層マッピングブロック７００は、各ＣＢを複数の階層にマッピングすることにより、各階層がＣＢのほぼ同一の数の変調されたシンボルを含む。
【０１１９】
マッピング方法Ｂを用いてＣＷを階層にマッピングするように構成される際に、ＣＷ−階層マッピングブロック７００は、連続したコードブロックシンボルを階層に分配することによりＣＷ９０５で変調されたシンボルをマッピングする。例えば、第１のシンボルであるＣＷ９０５でのＣＢ０  ９２０のＣＢ０Ａ  ９２０ａは、階層０  ９１０ａにマッピングされ、第２のシンボルであるＣＢ０Ｂ  ９２０ｂは、階層１  ９１０ｂにマッピングされ、第１のシンボルであるＣＢ１  ９２１のＣＢ１Ａ  ９２１ａは、階層０  ９１０ａにマッピングされ、第２のシンボルであるＣＢ１Ｂ  ９２１ｂは、階層１  ９１０ｂにマッピングされる。このように、階層１  ９１０ａは、各ＣＢの第１のシンボルＣＢ０Ａ  ９２０ａ、ＣＢ１Ａ  ９２１ａ、ＣＢ２Ａ  ９２２ａ、及びＣＢ３Ａ  ９２３ａを含む。また、階層２  ９１０ｂは、各ＣＢの第２のシンボルＣＢ０Ｂ  ９２０ｂ、ＣＢ１Ｂ  ９２１ｂ、ＣＢ２Ｂ  ９２２ｂ、及びＣＢ３Ｂ  ９２３ｂを含む。
【０１２０】
また、図９Ｂに示すように、２個のコードワード９０５ａ−９０５ｂは、８個の階層９１０ａ−９１０ｈにマッピングされる。第１のシンボルであるＣＷ９０５ａのＣＢ００  ９２０の“００Ａ”９２０ａは、階層０  ９１０ａにマッピングされ、第２のシンボルである“００Ｂ”９２０ｂは、階層１  ９１０ｂにマッピングされ、“００Ｃ”９２０ｃは、階層２  ９１０ｃにマッピングされ、“００Ｄ”９２０ｄは、階層３  ９１０ｄにマッピングされる。さらに、残りのＣＢ９２１−９２３及びＣＢ９３０−９３３のそれぞれの第１のシンボルは、階層０  ９１０ａにマッピングされ、第２のシンボルは、階層１  ９１０ｂにマッピングされる。
【０１２１】
図９（ａ）及び図９（ｂ）に示すマッピング例は、このような方法で構成されることができ、ここで、
【０１２２】
【数３０】
0005323208.tif 000031
【０１２３】
である。
【０１２４】
ＮＬ＝２又はＮＬ＝４である場合に、１つのＣＷは、ＮＬ個の階層にマッピングされることができる。
【０１２５】
ＮＬ＝３の場合に、 
【０１２６】
【数３１】
0005323208.tif 000032
【０１２７】
であり、ここで、
【０１２８】
【数３２】
0005323208.tif 000033
【０１２９】
である。
【０１３０】
【数３３】
0005323208.tif 000034
【０１３１】
である場合に、２個のヌルシンボルが
【０１３２】
【数３４】
0005323208.tif 000035
【０１３３】
に付加される。
【０１３４】
【数３５】
0005323208.tif 000036
【０１３５】
である場合に、１個のヌルシンボルが
【０１３６】
【数３６】
0005323208.tif 000037
【０１３７】
に付加される。
【０１３８】
一般的なＮＬの場合に、
【０１３９】
【数３７】
0005323208.tif 000038
【０１４０】
であり、ここで、ｈ＝０，．．．，ＮＬ−１であり、
【０１４１】
【数３８】
0005323208.tif 000039
【０１４２】
である。
【０１４３】
【数３９】
0005323208.tif 000040
【０１４４】
である場合に、適切な数のヌルシンボルが
【０１４５】
【数４０】
0005323208.tif 000041
【０１４６】
に付加されることにより、各階層は、
【０１４７】
【数４１】
0005323208.tif 000042
【０１４８】
個のシンボルを有する。
【０１４９】
図１０（ａ）乃至図１２（ｂ）は、本開示の実施形態によるシグナリングを示す。図１０（ａ）乃至図１２（ｂ）に示す実施形態は、ただ例示のためのものである。本開示の範囲から逸脱せず他の実施形態が使用されてもよい。
【０１５０】
図１０（ａ）及び図１０（ｂ）に示す一部の実施形態において、ＢＳ１０２は、ＳＳ１１６で送信されるコードワード（送信ブロック）の数に関係なく１つのＭＣＳ（変調及びコーディング方式）だけをＳＳ１１６にシグナリングする。ＭＣＳフィールドは、ダウンリンクスケジューリング割当て（ＳＡ）１００５及びアップリンク１０１０  ＳＡの中の１つを通して伝達されるのであろう。
【０１５１】
ＭＩＭＯ送信器側で、送信器は、発生したすべてのコードワードに対して同一のＭＣＳ１０１５を使用する。送信器は、ＳＳ１１６のような加入者局であるかまたはＢＳ１０２のような基地局であり得る。
【０１５２】
一部の実施形態において、２個のコードワード送信の例で、ＢＳ１０２は、１つのＭＣＳ及び１つのデルタＭＣＳをＳＳ１１６にシグナリングする。第１のＣＷの変調及びコーディングフォーマットは、ＭＣＳフィールドから得られ、他方、第２のＣＷの変調及びコーディングフォーマットは、ＭＣＳフィールド及びデルタＭＣＳフィールドから共同で得られる。例えば、第２のＣＷに対する変調及びコーディングフォーマットは、ＭＣＳフィールド及びデルタＭＣＳフィールドの差から得られることができる。
【０１５３】
ＢＳ１０２がＭＣＳ及びデルタＭＣＳフィールドをＳＳ１１６にシグナリングするのには、２通りの方式が存在する。
【０１５４】
図１１（ａ）及び図１１（ｂ）に示す例において、ＢＳ１０２は、ＤＬ１１０５又はＵＬ  ＳＡ１１１０でＭＣＳフィールド及びデルタＭＣＳフィールドのすべてを動的にシグナリングする。
【０１５５】
図１２（ａ）及び図１２（ｂ）に示す例において、ＢＳ１０２は、ＤＬ  ＳＡ１２０５又はＵＬ  ＳＡ１２１０で動的にＭＣＳフィールドをシグナリングし、ＢＳ１０２は、ＲＲＣシグナリングのようなＵＥ特定上位階層シグナリング１２１５又はブロードキャストシグナリングのようなセル特定シグナリングを通して半静的に対応するデルタＭＣＳをシグナリングする。したがって、ＤＬ  ＳＡ１２０５又はＵＬ  ＳＡ１２１０でデルタＭＣＳのオーバーヘッドをトリガーリングする必要がない。
【０１５６】
ＭＩＭＯ送信器側では、送信器が発生したすべてのコードワードに対して同一のＭＣＳ１２２０を使用する。送信器は、ＳＳ１１６のような加入者局であるかまたはＢＳ１０２のような基地局であり得る。
【０１５７】
一部の実施形態において、２個のコードワード送信の例において、ＢＳ１０２は、１つのＭＣＳ及び１つのデルタＭＣＳをＳＳ１１６にシグナリングする。第１のＣＷの変調及びコーディングフォーマットは、ＭＣＳフィールドから得られ、他方、第２のＣＷの変調及びコーディングフォーマットは、ＭＣＳフィールド及びデルタＭＣＳフィールドから共同で得られる。例えば、第２のＣＷに対する変調及びコーディングフォーマットは、ＭＣＳフィールドとデルタ−ＭＣＳフィールド間の差から得られることができる。
【０１５８】
図１３（ａ）乃至図１３（ｅ）は、本開示の実施形態による空間多重化のための２段コードワード−階層マッピングを示す。図１３（ａ）乃至図１３（ｅ）に示す実施形態は、ただ例示のためのものである。本開示の範囲から逸脱せず他の実施形態が使用されてもよい。
【０１５９】
一部の実施形態において、図３乃至図１２Ｂに説明された階層マッピング３０５、新たなコードワード−階層マッピングブロック５００、及びＣＷ−階層マッピングブロック７００を含む階層マッピング過程で実行されるようなコードワード−階層マッピングは、２段（two-stage）階層マッピング過程１３００で実行されることができる。２段階層マッピング過程１３００は、初期ＣＷ−階層マッピングブロック１３０５及び階層再マッピングブロック１３１０を含む。
【０１６０】
初期ＣＷ−階層マッピングブロック１３０５は、１つ又は複数のコードワードに対する複素数（complex-valued）変調シンボルを１つ又は複数の階層にマッピングする。例えば、初期ＣＷ−階層マッピングブロック１３０５は、コードワードｑに対する複素数変調シンボル
【０１６１】
【数４２】
0005323208.tif 000043
【０１６２】
を階層
【０１６３】
【数４３】
0005323208.tif 000044
【０１６４】
にマッピングし、
【０１６５】
【数４４】
0005323208.tif 000045
【０１６６】
であり、ここで、
【０１６７】
【数４５】
0005323208.tif 000046
【０１６８】
は、階層の数であり、
【０１６９】
【数４６】
0005323208.tif 000047
【０１７０】
は、階層当たりの変調シンボルの数である。アップリンク送信において、各コードワードは、図３のデータ／制御多重化及びインターリービングブロック３０５に示すように、データ送信ブロック及びアップリンクＣＱＩ／ＲＩを同時に含む。
【０１７１】
一部の実施形態において、アップリンクで４個の階層送信まで、初期マッピングブロック１３０５は、表１に示すように初期ＣＷ−階層マッピングを実行する。
【０１７２】
【表１】
0005323208.tif 000048
【０１７３】
図１３（ａ）は、１つの階層の階層０  １３１６にマッピングされた１つのＣＷであるＣＷ０  １３１５を示す。図１３（ｂ）は、２つの階層の階層０  １３２０及び階層１  １３２１にマッピングされた１つのＣＷであるＣＷ０  １３１５を示す。図１３（ｃ）は、２つの階層階層０  １３２０及び階層１  １３２１にマッピングされた２つのＣＷであるＣＷ０  １３１５及びＣＷ１３１６を示す。図１３（ｄ）は、３つの階層の階層０  １３２０、階層１  １３２１、及び階層２  １３２２にマッピングされた２つの階層ＣＷ０  １３１５及びＣＷ１３１６を示す。図１３（ｅ）は、４つの階層の階層０  １３２０、階層１  １３２１、階層２  １３２２、及び階層３  １３２４にマッピングされた２つのＣＷであるＣＷ０  １３１５及びＣＷ１３１６を示す。ＤＦＴプリコーディング３１０は、階層再マッピングブロック１３１０の出力に実行される。
【０１７４】
図１４乃至図１７は、本開示の実施形態による階層再マッピングを示す。図１４乃至図１７に示す実施形態は、ただ例示のためのものである。図１４乃至図１７に示す実施形態は、２個の階層の再マッピングを示しているが、１つの階層、３つ又は４つの階層のような他の実施形態も本開示の範囲から逸脱せず使用されてもよい。
【０１７５】
階層再マッピングブロック１３１０は、初期マッピングブロック１３０５の出力を２次元時間／仮想サブキャリアリソースグリッド（grid）で構成する。ここで、数式（９）に示すように、行の数は、Ｎｒｏｗとして示し、列の数は、Ｎｃｏｌとして示す。
【０１７６】
【数４７】
0005323208.tif 000049
【０１７７】
階層再マッピングステップの入力において、シンボルは、
【０１７８】
【数４８】
0005323208.tif 000050
【０１７９】
であり、
【０１８０】
【数４９】
0005323208.tif 000051
【０１８１】
であり、ここで、
【０１８２】
【数５０】
0005323208.tif 000052
【０１８３】
は、階層の数であり、
【０１８４】
【数５１】
0005323208.tif 000053
【０１８５】
は、階層当たりの変調シンボルの数である。階層再マッピングステップの出力でのシンボルは、
【０１８６】
【数５２】
0005323208.tif 000054
【０１８７】
として示す。
【０１８８】
図１４は、階層再マッピングに対する第１の代案を示す。階層再マッピングブロック１３１０は、２次元リソースグリッドで相互に異なる階層にわたって“行シャッフリング（row-shuffling）”を実行することができる（２次元リソースグリッドが仮想サブキャリア優先方式で配列されるという仮定の下に）。階層再マッピングブロック１３１０は、数式（１０）に従って行シャッフリングを実行する。
【０１８９】
【数５３】
0005323208.tif 000055
【０１９０】
ｒ＝０，．．．，Ｎｃｏｌ−１、ｊ＝０，．．．，Ｎｒｏｗ−１であり、ｐ＝０，．．．，ν−１である（この数式の一部の形態は、“ｒ”の代わりに“ｌ” を使用することに留意する。）。また、階層インデックスｑは、数式（１１）により与えられる。
【０１９１】
【数５４】
0005323208.tif 000056
【０１９２】
ここで、νは、送信階層の数を示す。
【０１９３】
例えば、第１の入力階層１４００の第１の行１４０２は、第１の出力階層１４２０の第１の行１４２２に配置され、第２の入力階層１４１０の第２の行１４１４は、第１の出力階層１４２０の第２の行１４２４に配置され、第１の入力階層１４００の第３の行１４０６は、第１の出力階層１４２０の第３の行１４２６に配置され、第２の入力階層１４１０の第４の行１４１８は、第１の出力階層１４２０の第４の行１４２８に配置される。他方、第２の入力階層１４１０の第１の行１４０２は、第２の出力階層１４３０の第１の行１４３２に配置され、第３の入力階層の第２の行は、第２の出力階層１４３０の第２の行１４３４に配置される。第３の入力階層が存在しない場合に、第１の入力階層１４００の第２の行１４０４は、第２の出力階層１４３０の第２の行１４３４に配置され、第２の入力階層１４１０の第３の行１４１６は、第２の出力階層１４３０の第３の行１４３６に配置され、第１の入力階層１４００の第４の行１４０８は、第２の出力階層１４３０の第４の行１４３８に配置される。
【０１９４】
図１５は、階層再マッピングに対する第２の代案を示す。階層再マッピングブロック１３１０は、２次元リソースグリッドの相互に異なる階層にわたって“列シャッフリング（column-shuffling）”を実行することができる（２次元リソースグリッドが仮想サブキャリア優先方式で配列されるという仮定の下に）。階層再マッピングブロック１３１０は、数式（１２）で定義されたように列シャッフリングを実行する。
【０１９５】
【数５５】
0005323208.tif 000057
【０１９６】
ｒ＝０，．．．，Ｎｃｏｌ−１、ｊ＝０，．．．，Ｎｒｏｗ−１であり、ｐ＝０，．．．，ν−１である（この数式の一部の形態は、“ｒ”の代わりに“ｌ” を使用することに留意する。）。また、階層インデックスqは、数式（１１）により与えられる。
【０１９７】
【数５６】
0005323208.tif 000058
【０１９８】
例えば、第１の入力階層１５００の第１の列１５０１は、第１の出力階層１５２０の第１の列１５２１に配置され、第２の入力階層１５１０の第２の列１５１２は、第１の出力階層１５２０の第２の列１５２２に配置され、第１の入力階層１５００の第３の列１５０３は、第１の出力階層１５２０の第３の列１５２３に配置され、第２の入力階層１５１０の第４の列１５１４は、第１の出力階層１５２０の第４の列１５２４に配置され、第１の入力階層１５００の第５の列１５０５は、第１の出力階層１５２０の第５の列１５２５に配置される。他方、第２の入力階層１５１０の第１の列１５１１は、第２の出力階層１５３０の第１の列１４３１に配置され、第３の入力階層の第２の列は、第２の出力階層１５３０の第２の列１５３２に配置される。第３の入力階層が存在しない場合に、第１の入力階層１５００の第２の列１５０２は、第２の出力階層１５３０の第２の列１５３２に配置され、第２の入力階層１５１０の第３の列１５１３は、第２の出力階層１５３０の第３の列１５３３に配置され、第１の入力階層１５００の第４の列１５０４は、第２の出力階層１５３０の第４の列１５３４に配置され、第２の入力階層１５１０の第５の列１５１５は、第２の出力階層１５３０の第５の列１５３５に配置される。
【０１９９】
図１６乃至図１７は、階層再マッピングに対する第３の代案を示す。階層再マッピングブロック１３１０は、順次な方式ですべての入力階層に変調シンボルを統合する（aggregate）ことにより、中間シーケンス
【０２００】
【数５７】
0005323208.tif 000059
【０２０１】
を生成する。上記統合過程は、数式（１３）により定義されることができる。
【０２０２】
【数５８】
0005323208.tif 000060
【０２０３】
ｑ＝０，．．．，ν−１であり、ｊ＝０，．．．，
【０２０４】
【数５９】
0005323208.tif 000061
【０２０５】
である。したがって、出力階層でのシンボルは、数式（１４）により出力階層にマッピングされる。
【０２０６】
【数６０】
0005323208.tif 000062
【０２０７】
ここで、ｐ＝０，．．．，ν−１であり、ｉ＝０，．．．，
【０２０８】
【数６１】
0005323208.tif 000063
【０２０９】
である。例えば、図１６は“仮想サブキャリア優先”過程を使用する実施形態を示す。第１のシンボル１６０１は、第１の入力階層１６００から第１の出力階層１６２０にマッピングされる。第２のシンボル１６０２は、第１の入力階層１６００から第２の出力階層１６３０にマッピングされる。第３のシンボル１６０３は、第１の入力階層１６００から第１の出力階層１６２０にマッピングされる。第４のシンボル１６０８は、第１の入力階層１６００から第２の出力階層１６３０にマッピングされる。第５のシンボル１６０５は、第１の入力階層１６００から第１の出力階層１６２０にマッピングされる。また、第２の入力階層１６１０からの第１のシンボル１６１１は、第１の出力階層１６２０にマッピングされる。第２の入力階層１６１０からの第２のシンボル１６１２は、第２の出力階層１６３０にマッピングされる。第２の入力階層１６１０からの第３のシンボル１６１３は、第１の出力階層１６２０にマッピングされる。第２の入力階層１６１０からの第４のシンボル１６１４は、第２の出力階層１６３０にマッピングされる。
【０２１０】
また、図１８は、“時間−優先”方式を用いる実施形態を示す。第１のシンボル１６０１は、第１の入力階層１６００から第１の出力階層１６２０にマッピングされる。第２のシンボル１６０２は、第１の入力階層１６００から第２の出力階層１６３０にマッピングされる。第３のシンボル１６０３は、第１の入力階層１６００から第１の出力階層１６２０にマッピングされる。第４のシンボル１６０８は、第１の入力階層１６００から第２の出力階層１６３０にマッピングされる。また、第２の入力階層１６１０からの第１のシンボル１６１１は、第１の出力階層１６２０にマッピングされる。第２の入力階層１６１０からの第２のシンボル１６１２は、第２の出力階層１６３０にマッピングされる。第２の入力階層１６１０からの他のシンボル１６１５は、第１の出力階層１６２０にマッピングされる。第２の入力階層１６１０からの他のシンボル１６１６は、第２の出力階層１６３０にマッピングされる。
【０２１１】
図１８は、階層再マッピングのための第２の代案を示す。階層再マッピングブロック１３１０は、２次元リソースグリッドの相互に異なる階層にわたって２次元インターレーシング（interlacing）を実行することができる。階層再マッピングブロック１３１０は、数式（１０）に定義されるような２次元インターレーシングを実行する。
【０２１２】
【数６２】
0005323208.tif 000064
【０２１３】
ｒ＝０，．．．，Ｎｃｏｌ−１、ｊ＝０，．．．，Ｎｒｏｗ−１であり、ｐ＝０，．．．，ν−１である（この数式の一部の形態は、“ｒ”の代わりに“ｌ”を使用することに留意する。）。しかしながら、階層インデックスｑは、数式（１５）により与えられる。
【０２１４】
【数６３】
0005323208.tif 000065
【０２１５】
ここで、νは、送信階層の数を示す。
【０２１６】
図１９は、本開示の実施形態による２−Ｔｘアラモチ（Alamouti）送信ダイバーシティ空間−時間ブロックコードのための送信器ブロックを示す。図１９に示す実施形態は、ただ例示のためのものである。本開示の範囲から逸脱せず他の実施形態が使用されてもよい。
【０２１７】
このアラモチ送信ダイバーシティ空間−時間ブロックコードは、送信器１７００で、３段で、すなわち、ＣＷ−階層マッピングブロック１８０５、２個のＤＦＴブロック１８１０ａ−１８１０ｂ、及びＴｘＤプリコーダ１８１５で実現されることができる。
【０２１８】
ＣＷ−階層マッピングブロック１８０５は、図２０に示すように、列ペアリング（column-pairing）ブロック１９０５及び列−階層マッピングブロック１９１０を含むことができる。入力されたＣＷ１８２０は、２次元リソースグリッドで構成される。ここで、数式（１６）に示すように、行の数は、Ｎｒｏｗとして示し、列の数は、Ｎｃｏｌとして示す。
【０２１９】
【数６４】
0005323208.tif 000066
【０２２０】
列ペアリングブロック１９０５は、列分類化（categorization）を実行することができる。列分類化において、列ペアリングブロック１９０５は、多くの列をペアリングし、他の列は、ペアリングされないままに残しておく（例えば、入力されたＣＷ１８２０の一部はペアリングされ、他の一部は、ペアリングされない。）。１対の２個の列の各々は、Ｃ０及びＣ１の中のいずれか１つに分類される。ペアリングされない列（又は、オーファン（orphan））は、Ｃ２に分類される。
【０２２１】
セット分類化の一例において、複数の列は、第１の列から始まってペアリングされる。１対内の第１の列は、Ｃ０に分類され、第２の列は、Ｃ２に分類される。残りの列が存在する場合に、これらは、Ｃ２に分類される。
【０２２２】
列−階層マッピングブロック１９１０は、カテゴリーに基づいて各列のシンボルを階層にマッピングする。一部の実施形態において、列−階層マッピングブロック１９１０は、第１の列から始まる。列のカテゴリーが確認される。カテゴリーに基づいて、この列は、他の方法で他の階層にマッピングされる。列のカテゴリーがＣ０である場合に、すなわち、１対の第１の列である場合に、対応する列は、階層０にすでにマッピングされている列に追加される。列のカテゴリーがＣ１である場合に、すなわち、１対の第２の列である場合に、対応する列は、階層１にすでにマッピングされている列に追加される。対応する列のカテゴリーがＣ２、すなわち、オーファンである場合に、１番目のハーフシンボルとＮｒｏｗ／２個の０が階層１にすでにマッピングされた列に追加され、Ｎｒｏｗ／２個の列及び２番目のハーフシンボルは、すでに階層１にマッピングされた列に追加される。
【０２２３】
列−階層マッピングブロック１９１０は、次の段により定義されるような列−階層マッピングを実行することができる。
【０２２４】
ｍ０＝０、ｍ１＝０であり、各ｈ＝０，１，．．．Ｍｃｏｌに対して（この数式の一部の形態は、“ｈ”の代わりに“ｌ” を使用することに留意する。）、ｈ番目のセットがＣ０に属する場合に、このセット内のシンボルは、階層０にマッピングされた最後のシンボルに追加される。何のシンボルも階層０にマッピングされない場合に、このセット内のシンボルは、数式（１７）に従って階層０にマッピングされる。
【０２２５】
【数６５】
0005323208.tif 000067
【０２２６】
ここで、ｉ＝０，１，．．．Ｍｒｏｗ−１である（この数式の一部の形態は、“ｈ”の代わりに“ｌ”を使用することに留意する。）。その後に、ｍ０は、‘１’ずつ増加する。
【０２２７】
ｍ０＝０、ｍ１＝０であり、ｈ＝０，１，．．．，Ｍｃｏｌの各々に対して、ｈ番目のセットがＣ１に属する場合に、このセット内のシンボルは、階層１にマッピングされた最後のシンボルに追加される。何のシンボルも階層１にマッピングされない場合に、このセット内のシンボルは、数式（１８）に従って階層１にマッピングされる。
【０２２８】
【数６６】
0005323208.tif 000068
【０２２９】
ここで、ｉ＝０，１，．．．Ｍｒｏｗ−１である（この数式の一部の形態は、“ｈ”の代わりに“ｌ”を使用することに留意する。）。その後に、ｍ１は、‘１’ずつ増加する。
【０２３０】
または、ｍ０＝０、ｍ１＝０であり、ｈ＝０，１，．．．，Ｍｃｏｌの各々に対して、ｈ番目のセットがＣ２に属する場合に、
【０２３１】
Ｍｒｏｗ／２個の０の前の１番目のハーフシンボルは、数式（１９）に従って階層０にマッピングされる最後のシンボルに追加される。
【０２３２】
【数６７】
0005323208.tif 000069
【０２３３】
（この数式の一部の形態は、“ｈ”の代わりに“ｌ”を使用することに留意する。）。その後に、ｍ０は、‘１’ずつ増加する。
【０２３４】
Ｍｒｏｗ／２個の０の後ろの２番目のハーフシンボルは、数式（２０）に従って階層１にマッピングされる最後のシンボルに追加される。
【０２３５】
【数６８】
0005323208.tif 000070
【０２３６】
（この数式の一部の形態は、“ｈ”の代わりに“ｌ”を使用することに留意する。）。その後に、ｍ１は、‘１’ずつ増加する。また、Ｍ＝ｍ０＝ｍ１である。
【０２３７】
各階層１８２５ａ−１８２５ｂに対して（２個以上の階層を有する実施形態は、本開示の範囲から逸脱せず使用されることができることが理解される。）、ＤＦＴプリコーディング１８１０は、ＣＷ−階層マッピング１８０５の出力に適用される。ｐ番目の階層に対する複素数シンボルのブロック
【０２３８】
【数６９】
0005323208.tif 000071
【０２３９】
は、Ｎｃｏｌ個のセットに分割され、各セットは、１つのアップリンクシンボルに対応する。変換プリコーディングは、数式（２１）に従って適用されることができる。
【０２４０】
【数７０】
0005323208.tif 000072
【０２４１】
ｋ＝０，．．．，Ｎｒｏｗ−１であり、ｈ＝０，．．．，Ｎｃｏｌ−１である（この数式の一部の形態は、“ｈ”の代わりに“ｌ”を使用することに留意する。）。数式（２１）を通して複素数シンボルのブロック
【０２４２】
【数７１】
0005323208.tif 000073
【０２４３】
が算出される（ｐ＝０，．．．，ν−１）。
【０２４４】
一部の実施形態において、ＴｘＤプリコーディングブロック１８１５は、各階層の第１の列から始めて階層０の列のカテゴリーを確認する。カテゴリーに基づいて、両階層の列は、相互に異なる方法でプリコーディングされる。例えば、列のカテゴリーがＣ０である場合に、階層０の列は、すでにＴｘ０にマッピングされた列に付加され、階層１の列は、共役複素数（complex conjugate）及び符号逆演算（sign-reverse）の後に、これに付加される。また、階層１の列は、Ｔｘ１にすでにマッピングされた列に付加され、階層０の列は、共役複素数演算を行った後に、これに付加される。
【０２４５】
ＴｘＤプリコーディングブロック１８１５により送信プリコーディングを実行した後に、ダウンサンプリングブロック２０００によりダウンサンプリング機能がオーファンに適用される。ダウンサンプリングブロック２０００は、図２１に図示されている。ダウンサンプリングブロック２０００は、ＩＦＦＴ機能の前にＴｘＤプリコーディングブロック１８１５からの出力をダウンサンプリングする。例えば、列のカテゴリーがＣ２である場合に（すなわち、オーファン列からのものである場合に）、シンボルは、まず、２の因子で両階層のすべての列でダウンサンプリングされる。すなわち、第１の２００２、第３の２００６、第５の２０１０での各列のシンボルだけが
【０２４６】
【数７２】
0005323208.tif 000074
【０２４７】
によりスケーリングされる。その後に、階層０の列のダウンサンプリングされたＮｒｏｗ／２個のシンボルが、その後ろにＮｒｏｗ／２個の０を含んですでにＴｘ０にマッピングされた列に付加される。また、階層０の列のダウンサンプリングされたＮｒｏｗ／２個のシンボルがその前にＮｒｏｗ／２個の０を含んですでにＴｘ０にマッピングされた列に付加される。 
【０２４８】
ダウンサンプリングブロック２０００は、次の段に従ってダウンサンプリングを実行することができる。
【０２４９】
１つの階層のシンボルは、連続したシンボルのＭ個のセット
【０２５０】
【数７３】
0005323208.tif 000075
【０２５１】
に分割され、
【０２５２】
【数７４】
0005323208.tif 000076
【０２５３】
であり、ｎ＝０，１である。ここで、ｍ＝０であり、各ｈ＝０，．．．，Ｍ−１である。
【０２５４】
階層０に設定されたｈ番目のセットがＣ０に属する場合に、数式（２２）により定義されるように、階層０でのｈ番目のセットのシンボルは、その後ろに階層１のｈ番目のセットの共役及び符号フリップが行われたシンボルが続き、アンテナポート０に行くシンボルセットの最後のシンボルに付加される。
【０２５５】
【数７５】
0005323208.tif 000077
【０２５６】
ここで、
【０２５７】
【数７６】
0005323208.tif 000078
【０２５８】
である（この数式の一部の形態は、“ｈ”の代わりに“ｌ”を使用することに留意する。）。その後に、ｍは、“２”ずつ増加する。
【０２５９】
ｍ＝０であり、ｈ＝０，．．．，Ｍ−１の場合に、数式（２３）により定義されるように、階層１のｈ番目のセットのシンボルは、その後ろに階層０のｈ番目のセットの共役シンボルが続き、アンテナポート１に行くシンボルセットの最後のシンボルに付加される。
【０２６０】
【数７７】
0005323208.tif 000079
【０２６１】
ここで、
【０２６２】
【数７８】
0005323208.tif 000080
【０２６３】
である（この数式の一部の形態は、“ｈ”の代わりに“ｌ”を使用することに留意する。）。その後に、ｍは、“２”ずつ増加する。
【０２６４】
階層０のｈ番目のセットがＣ２に属する場合に、数式（２４）により定義されるように、階層０でのｈ番目のセットの偶数番目のシンボルは、その後ろに
【０２６５】
【数７９】
0005323208.tif 000081
【０２６６】
個の０が続き、アンテナポート０に行くシンボルセットの最後のシンボルに付加される。
【０２６７】
【数８０】
0005323208.tif 000082
【０２６８】
その後に、ｍは、“１”ずつ増加する。
【０２６９】
数式（２５）により定義されるように、階層１のｈ番目のセットの偶数番目のシンボルは、その前に
【０２７０】
【数８１】
0005323208.tif 000083
【０２７１】
個の０が続き、アンテナポート１に行くシンボルセットの最後のシンボルに付加される。
【０２７２】
【数８２】
0005323208.tif 000084
【０２７３】
その後に、ｍは、“１”ずつ増加する。
【０２７４】
本開示が実施形態とともに説明されたが、様々な変更及び修正が当業者に提案され得る。本開示は、このような変更及び修正を添付の特許請求の範囲内に属するものとして含む。
【符号の説明】
【０２７５】
１００      無線ネットワーク
１０１，１０２，１０３      基地局（ＢＳ）
１１１−１１６      加入者局（ＳＳ）
１３０      ＩＰネットワーク
２０５      アンテナ
２１０      ＲＦ送受信器
２１５      送信（ＴＸ）処理回路
２２０      マイクロフォン
２２５      受信（ＲＸ）処理回路
２３０      スピーカ
２４０      メインプロセッサ
２４５      入力／出力（Ｉ／Ｏ）インターフェース（ＩＦ）
２５０      キーパッド
２５５      表示部
２６０      メモリ
２６１      基本オペレーティングシステム（ＯＳ）プログラム
２６２      階層マッピング過程ブロック
【図１】
0005323208.tif 000097
【図２】
0005323208.tif 000098
【図３】
0005323208.tif 000099
【図４】
0005323208.tif 000100
【図５】
0005323208.tif 000101
【図６】
0005323208.tif 000102
【図７】
0005323208.tif 000103
【図８】
0005323208.tif 000104
【図９】
0005323208.tif 000105
【図１０】
0005323208.tif 000106
【図１１】
0005323208.tif 000107
【図１２】
0005323208.tif 000108
【図１３】
0005323208.tif 000109
【図１４】
0005323208.tif 000110
【図１５】
0005323208.tif 000111
【図１６】
0005323208.tif 000112
【図１７】
0005323208.tif 000113
【図１８】
0005323208.tif 000114
【図１９】
0005323208.tif 000115
【図２０】
0005323208.tif 000116
【図２１】
0005323208.tif 000117